(57)【要約】【課題】必要に応じて棚板の角度を簡単に変更することができ、かつ支柱に係止したブラケットに対する棚板の荷重の負担を小とするとともに、ブラケットに対する棚板の取付けを容易とする。【解決手段】左右の支柱の前面に列設した係止孔２に、上部ブラケット５の後端における下向鈎片８、およびそれよりも前後長の長い下部ブラケット９の後端における下向鈎片８を係止するとともに、両ブラケットの前端にまたがって、前部支柱１２を着脱自在に支持し、この前部支柱１２の前面に列設した係止孔２に上部ブラケット５を係止し、このブラケットに、棚板１３の後端より起立する背板１４の上端に設けた後下方を向く引掛片１５を係止し、かつ棚板１３の背板１４の下部に設けた後方突出部を、前部支柱１２の前面に当接させる。【選択図】　　　　図２
2004049750.tif 000002
【特許請求の範囲】
【請求項１】
左右の支柱の前面に列設した係止孔に、上部ブラケットの後端における下向鈎片、およびそれよりも前後長の長い下部ブラケットの後端における下向鈎片を係止するとともに、両ブラケットの前端にまたがって、前部支柱を着脱自在に支持し、この前部支柱の前面に列設した係止孔に上部ブラケットを係止し、このブラケットに、棚板の後端より起立する背板の上端に設けた後下方を向く引掛片を係止し、かつ棚板の背板の下部に設けた後方突出部を、前部支柱の前面に当接させたことを特徴とする棚装置。
【請求項２】
主支柱の前面に係止した上部ブラケットと、前部支柱の前面に係止した上部ブラケットを、同様の構成のものとしたことを特徴とする請求項１記載の棚装置。
【請求項３】
下部ブラケットを、前後長の異なるものと交換しうるようにしたことを特徴とする請求項１または２記載の棚装置。
【発明の詳細な説明】
【０００１】
【発明の属する技術分野】
本発明は、書籍やＣＤその他の物品を、棚板上に陳列しうるようにした棚装置に関する。
【０００２】
【従来の技術】
書籍やＣＤその他の物品を陳列するための従来の棚装置においては、棚板は、支柱に係止したブラケットをもって支持されている。
【０００３】
【発明が解決しようとする課題】
そのため、従来の棚装置においては、棚板は、常に水平、もしくは水平面に対して一定角度となっており、棚板が低位置にあるときには、載置物品を見難いことがあった。
【０００４】
また、棚板および棚板上に載置陳列されている物品の重量が、すべてブラケットに掛かるため、ブラケットの強度を大とする必要があった。
【０００５】
本発明は、必要に応じて棚板の角度を簡単に変更することができ、かつ支柱に係止したブラケットに対する棚板の荷重の負担を小とするとともに、ブラケットに対する棚板の取付けを容易とし、しかも、ブラケットの構成を簡単とすることを目的としている。
【０００６】
【課題を解決するための手段】
本発明によると、上記課題は、次のようにして解決される。
（１）左右の支柱の前面に列設した係止孔に、上部ブラケットの後端における下向鈎片、およびそれよりも前後長の長い下部ブラケットの後端における下向鈎片を係止するとともに、両ブラケットの前端にまたがって、前部支柱を着脱自在に支持し、この前部支柱の前面に列設した係止孔に上部ブラケットを係止し、このブラケットに、棚板の後端より起立する背板の上端に設けた後下方を向く引掛片を係止し、かつ棚板の背板の下部に設けた後方突出部を、前部支柱の前面に当接させる。
【０００７】
（２）上記（１）項において、主支柱の前面に係止した上部ブラケットと、前部支柱の前面に係止した上部ブラケットを、同様の構成のものとする。
【０００８】
（３）上記（１）または（２）項において、下部ブラケットを、前後長の異なるものと交換しうるようにする。
【０００９】
【発明の実施の形態】
図１において、（１）は、左右に立設された主支柱で、その前面には、多数の係止孔（２）が縦方向に列設されている。
【００１０】
上部適所の係止孔（２）には、側面視前向Ｌ形の上向係合片（３）の後部に下向鈎片（４）（４）を設けた上部ブラケット（５）における下向鈎片（４）（４）が係止されている。
【００１１】
下部適所の係止孔（２）には、前端に側面視Ｕ形の上向嵌合片（６）を有する側面視Ｕ状の前後に長い支杆（７）の後端に下向鈎片（８）（８）を設けた下部ブラケット（９）における下向鈎片（８）（８）が係止されている。
【００１２】
上部ブラケット（５）における上向係合片（３）と下向鈎片（４）までの距離に比して、下部ブラケット（９）における上向嵌合片（６）と下向鈎片（８）までの距離は、かなり大である。
【００１３】
従って、前後面に多数の係止孔（１０）（１１）が列設された断面角管状の前部支柱（１２）の後面上部の係止孔（１１）を、上部ブラケット（５）の前端における上向係合片（３）に係止し、かつ前部支柱（１２）の下端を、下部ブラケット（９）の上向嵌合片（６）に嵌合することにより、前部支柱（１２）を、その下部が前方へ突出するようにして、主支柱（１）の前面に取付けることができる。
なお、前部支柱（１２）の下端と上向嵌合片（６）とは、適切に嵌合し合うよう、形状および寸度が定められている。
【００１４】
この状態の前部支柱（１２）の前面における適宜の係止孔（１０）に、前記と同様の上部ブラケット（５）における下向鈎片（４）（４）を係止してある。
【００１５】
この上部ブラケット（５）の前端の上向係合片（３）には、棚板（１３）の後端より直角に起立する背板（１４）の上端に設けた後下方へ向かって傾斜する引掛片（１５）が上方から係止され、かつ棚板（１３）の背板（１４）の下端に設けた斜め後方へ突出する折曲突出部（１６）の後端を、前部支柱（１２）の前面に当接させてある。
【００１６】
棚板（１３）に対して背板（１４）はほぼ直交しているため、引掛片（１５）を、上部ブラケット（５）の前端の上向係合片（６）に係合させるとともに、折曲突出部（１６）を前部支柱（１２）の前面に当接させた際、棚板（１３）の背板（１４）は、前部支柱（１２）とほぼ平行となり、かつ棚板（１３）の前部は、やや上方へ傾斜することとなる。
【００１７】
下部ブラケット（９）を、支杆（７）の長さの異なるものと交換することにより、前部支柱（１２）の傾斜を変え、棚板（１３）の上向き角度を変更させることができる。
【００１８】
前部支柱（１２）を取外して、主支柱（１）に係止した上部ブラケット（５）に、直接棚板（１３）を取付けることもできる。この際棚板（１３）は水平となる。
【００１９】
【発明の効果】
各請求項に記載の発明の効果は、次の如くである。
請求項１：棚板の前部が上向傾斜しているので、載置物の安定が良く、また棚板が眼線の下方にある場合に、載置物を見易い。また、棚板における負荷は、上部ブラケットと後方突出部を介して、支柱で分担支持されるので、強度的に有利である。
さらに前部支柱を取外して、棚板を直接主支柱に取付けることもできる。
【００２０】
請求項２：部品の共通化を図ることができる。
【００２１】
請求項３：前部支柱の傾斜、ひいては棚板の角度を変更することができる。
【図面の簡単な説明】
【図１】本発明の一実施形態を示す斜視図である。
【図２】同じく拡大側面図である。
【符号の説明】
（１）主支柱
（２）係止孔
（３）上向係合片
（４）下向鈎片
（５）上部ブラケット
（６）上向嵌合片
（７）支杆
（８）下向鈎片
（９）下部ブラケット
（１０）（１１）係止孔
（１２）前部支柱
（１３）棚板
（１４）背板
（１５）引掛片
（１６）折曲突出部
【図１】
2004049750.tif 000003
【図２】
2004049750.tif 000004